(57)【特許請求の範囲】
【請求項１】
睡眠中のユーザの身体に装着され、１心拍ごとの血圧波形を非侵襲的に計測可能なセンサにより連続的に計測された血圧波形のデータから、（１）１心拍の血圧波形における、収縮期血圧と拡張期血圧の差、（２）１心拍の血圧波形における、収縮期血圧の後に現れる極小値と拡張期血圧の差、および（３）１心拍の血圧波形における、収縮期血圧の後に現れる極小値の後に現れる極大値と拡張期血圧の差のうちの少なくともいずれか１つが、それぞれに対応する所定の閾値以下の場合に無呼吸状態と判定して、平常状態か無呼吸状態かを表す指標を抽出する指標抽出部と、
前記指標に基づく処理を行う処理部と、
を有することを特徴とする生体情報分析装置。
【請求項２】
前記処理部は、前記ユーザの無呼吸状態を解消するための処理を行う
ことを特徴とする請求項１に記載の生体情報分析装置。
【請求項３】
前記処理は、前記ユーザの呼吸を補助する装置を作動させる処理、前記ユーザの覚醒を促す装置を作動させる処理、及び、前記ユーザの姿勢を変える装置を作動させる処理、のうち少なくともいずれかを含む
ことを特徴とする請求項２に記載の生体情報分析装置。
【請求項４】
ユーザの身体に装着され、１心拍ごとの血圧波形を非侵襲的に計測可能なセンサと、
前記センサにより連続的に計測される血圧波形のデータを用いて、生体情報の分析を行う、請求項１〜３のいずれかに記載の生体情報分析装置と、
を有することを特徴とする生体情報分析システム。
【請求項５】
請求項１〜３のいずれかに記載の生体情報分析装置の前記指標抽出部及び前記処理部としてプロセッサを機能させることを特徴とするプログラム。
【請求項６】
生体情報分析装置が、
睡眠中のユーザの身体に装着され、１心拍ごとの血圧波形を非侵襲的に計測可能なセンサにより連続的に計測された血圧波形のデータから、（１）１心拍の血圧波形における、収縮期血圧と拡張期血圧の差、（２）１心拍の血圧波形における、収縮期血圧の後に現れる極小値と拡張期血圧の差、および（３）１心拍の血圧波形における、収縮期血圧の後に現れる極小値の後に現れる極大値と拡張期血圧の差のうちの少なくともいずれか１つが、それぞれに対応する所定の閾値以下の場合に無呼吸状態と判定して、平常状態か無呼吸状態かを表す指標を抽出し、
前記指標に基づく処理をする、
ことを特徴とする生体情報分析方法。
【発明の詳細な説明】
【技術分野】
【０００１】
本発明は、計測した血圧波形から有益な情報を取得する技術に関する。
【背景技術】
【０００２】
橈骨（とうこつ）動脈の内圧変化を計測し、圧脈波の形状（血圧波形）を記録する技術が知られている。特許文献１（特開２００８−６１８２４号公報）には、トノメトリ法により血圧波形を計測し、血圧波形からＡＩ（Augmentation Index）値、脈波周期、基線変動率、鮮鋭度、ＥＴ（Ejection Time）などの情報を取得することが開示されている。また、特許文献２（特表２００５−５３２１１１号公報）には、腕時計型の血圧計により血圧波形を計測し、血圧波形から平均動脈圧、平均収縮期圧、平均拡張期圧、平均収縮期圧指数、及び、平均拡張期圧指数を計算し、これらの値が基準値から逸脱した場合にアラートを出力することが開示されている。
【先行技術文献】
【特許文献】
【０００３】
【特許文献１】特開２００８−６１８２４号公報
【特許文献２】特表２００５−５３２１１１号公報
【発明の概要】
【発明が解決しようとする課題】
【０００４】
従来、睡眠時無呼吸症候群の判定には、ＰＳＧ（Polysomnography）検査が行われるのが一般的である。しかし、ＰＳＧ検査はコストがかかるとともに、医療機関に泊りがけで検査を行う必要があり拘束時間が長い。また、頭、顔、身体の必要な部位にテープで電極を貼り付け、睡眠の状態を記録するため、被検者は不快であるとともに負担が大きい。したがって、被検者の負担が少ない簡便な方法で、睡眠中の無呼吸の発生が検出できれば、非常に有用である。【０００５】
本発明者らは、自由行動下における１心拍ごとの血圧波形を正確に計測可能な血圧測定デバイスの実用化に向け、鋭意開発を進めている。その開発過程における被験者実験を通じて、本発明者らは、自由行動下において連続的に計測した血圧波形のデータから様々な有益な情報を抽出できることを見出した。例えば、従来の血圧計ではもっぱら血圧そのものに関する情報を取得するにとどまっていたのに対し、自由行動下における１心拍ごとの血圧波形を正確に且つ非侵襲でモニタリングすると、血圧そのものに関する情報以外にも、ユーザの身体に関わる様々な情報（例えば呼吸器や循環器の機能・状態に関する情報など）を抽出できる可能性があることが分かってきた。【０００６】
そこで本発明は、睡眠中の呼吸器に関連する情報を取得するための新規な技術を提供することを目的とする。
【課題を解決するための手段】
【０００７】
上記目的を達成するために本発明は以下の構成を採用する。【０００８】
本発明に係る生体情報分析装置は、睡眠中のユーザの身体に装着され、１心拍ごとの血圧波形を非侵襲的に計測可能なセンサにより連続的に計測された血圧波形のデータから、血圧波形の特徴に基づいて前記ユーザの呼吸器の機能に関連する指標を抽出する指標抽出部と、抽出された前記指標に基づく処理を行う処理部と、を有することを特徴とする生体情報分析装置である。【０００９】
この構成によれば、血圧波形をモニタリングするだけで睡眠中のユーザの呼吸器の機能に関連する情報を得ることができる。しかもこの血圧波形は非侵襲的に計測可能であるため、ユーザにとって簡便であり、ユーザの身体への負担や心理的負担も小さい。【００１０】
前記指標抽出部は、血圧波形の前記特徴に基づいて平常状態の血圧波形か無呼吸状態の血圧波形かを判定し、前記呼吸器の機能に関連する指標として、平常状態か無呼吸状態かを表す指標を抽出するとよい。【００１１】
睡眠中に無呼吸が発生した場合、平常状態に比べて、血圧波形が有意に変化する。したがって、血圧波形の特徴に注目することで、平常状態か無呼吸状態かを一定の信頼性をもって判定することができる。【００１２】
血圧波形の前記特徴は、例えば、１心拍の血圧波形の形状的な特徴であるとよい。血圧波形の形状的な特徴としては、例えば、「１心拍の血圧波形における、収縮期血圧と拡張期血圧の差」、「１心拍の血圧波形における、収縮期血圧の後に現れる極小値と拡張期血圧の差」、「１心拍の血圧波形における、収縮期血圧の後に現れる極小値の後に現れる極大値と拡張期血圧の差」などが挙げられる。これらの特徴の値は、無呼吸状態の場合に平常状態に比べて有意に低下する。したがって、閾値を用いた単純な比較で無呼吸状態か平常状態かを判定することができる。【００１３】
前記処理部は、前記ユーザの無呼吸状態を解消するための処理を行うとよい。例えば、前記処理は、前記ユーザの呼吸を補助する装置を作動させる処理、前記ユーザの覚醒を促す装置を作動させる処理、及び、前記ユーザの姿勢を変える装置を作動させる処理、のうち少なくともいずれかを含むとよい。このような処理を行うことで、ユーザの無呼吸状態を解消することができれば、深刻なイベントの発生リスクを低減できると期待できる。【００１４】
なお、本発明は、上記構成ないし機能の少なくとも一部を有する生体情報分析装置ないしシステムとして捉えることができる。また、本発明は、上記処理の少なくとも一部を含む生体情報分析方法、又は、かかる方法をコンピュータに実行させるためのプログラム、又は、そのようなプログラムを非一時的に記録したコンピュータ読取可能な記録媒体として捉えることもできる。上記構成及び処理の各々は技術的な矛盾が生じない限り互いに組み合わせて本発明を構成することができる。
【発明の効果】
【００１５】
本発明によれば、睡眠中の呼吸器に関連する情報を取得するための新規な技術を提供することができる。
【図面の簡単な説明】
【００１６】
【図１】図１は生体情報分析システム１０の外観の概略構成を示す図である。
【図２】図２は生体情報分析システム１０のハードウエア構成を示すブロック図である。
【図３】図３は血圧測定ユニット２０の構造と測定時の状態を模式的に示す断面図である。
【図４】図４は血圧測定ユニット２０で測定される血圧波形を示す図である。
【図５】図５は生体情報分析装置１の処理を説明するブロック図である。
【図６】図６は１心拍の橈骨動脈の圧脈波の波形（血圧波形）を示す図である。
【図７】図７は実施例１における平常状態と息こらえ区間の血圧波形データの一例を示す図である。
【図８】図８は実施例１における無呼吸状態で観測される血圧波形と、平常状態で観測される血圧波形の例を示す図である。
【図９】図９は実施例１における無呼吸判定処理のフローチャートである。
【図１０】図１０は実施例１における無呼吸状態か平常状態かの判定処理のフローチャートである。
【図１１】図１１は生体情報分析装置１の応用例を示す図である。
【発明を実施するための形態】
【００１７】
以下に図面を参照しつつ、本発明の好適な実施の形態を説明する。ただし、以下に記載されている各構成の説明は、発明が適用される装置の構成や各種条件により適宜変更されるべきものであり、この発明の範囲を以下の記載に限定する趣旨のものではない。
【００１８】
＜生体情報分析システム＞
図１は、本発明の一実施形態に係る生体情報分析システム１０の外観の概略構成を示す図である。図１は生体情報分析システム１０を左手首に装着した状態を示している。生体情報分析システム１０は、本体部１１と、本体部１１に固定されたベルト１２と、を備える。生体情報分析システム１０は、いわゆるウェアラブル型のデバイスであり、本体部１１が手首内側の皮膚に接触し、かつ、皮下に存在する橈骨動脈ＴＤの上に本体部１１が配置されるように、装着される。なお、本実施形態では橈骨動脈ＴＤ上に装置を装着する構成としたが、他の表在動脈上に装着する構成でもよい。
【００１９】
図２は、生体情報分析システム１０のハードウエア構成を示すブロック図である。生体情報分析システム１０は、概略、測定ユニット２と生体情報分析装置１を有する。測定ユニット２は、生体情報の分析に利用する情報を測定により取得するデバイスであり、血圧測定ユニット２０、体動測定ユニット２１、環境測定ユニット２２を含む。ただし、測定ユニット２の構成は図２のものに限られない。例えば、血圧や体動以外の生体情報（体温、血糖、脳波など）を測定するユニットを追加してもよい。あるいは、後述する実施例で利用しないユニットは必須の構成ではないので、生体情報分析システム１０に搭載しなくてもよい。生体情報分析装置１は、測定ユニット２から得られる情報を基に生体情報の分析を行うデバイスであり、制御ユニット２３、入力ユニット２４、出力ユニット２５、通信ユニット２６、記憶ユニット２７を含む。各ユニット２０〜２７は、ローカルバスその他の信号線を介して信号がやり取りできるよう、互いに接続されている。また生体情報分析システム１０は、不図示の電源（バッテリ）を有する。
【００２０】
血圧測定ユニット２０は、トノメトリ法により橈骨動脈ＴＤの圧脈波を測定するユニットである。トノメトリ法は、皮膚の上から動脈を適切な圧力で押圧して動脈ＴＤに扁平部を形成し、動脈内圧と外圧をバランスさせて、圧力センサにより非侵襲的に圧脈波を計測する方法である。
【００２１】
体動測定ユニット２１は、３軸加速度センサを含み、このセンサによりユーザの身体の動き（体動）を測定するユニットである。体動測定ユニット２１は、当該３軸加速度センサの出力を、制御ユニット２３が読み取り可能な形式に変換する回路を含んでいてもよい。
【００２２】
環境測定ユニット２２は、ユーザの心身の状態（特に血圧）に影響を与え得る環境情報を測定するユニットである。環境測定ユニット２２は、例えば、気温センサ、湿度センサ、照度センサ、高度センサ、位置センサなどを含むことができる。環境測定ユニット２２は、これらのセンサなどの出力を、制御ユニット２３が読み取り可能な形式に変換する回路を含んでいてもよい。
【００２３】
制御ユニット２３は、生体情報分析システム１０の各部の制御、測定ユニット２からのデータの取り込み、取り込んだデータの記録ユニット２７への格納、データの処理・分析、データの入出力などの各種処理を担うユニットである。制御ユニット２３は、ハードウェアプロセッサ（以下、ＣＰＵと呼ぶ）、ＲＯＭ（Read Only Memory）、ＲＡＭ（Random Access Memory）、などを含む。後述する制御ユニット２３の処理は、ＣＰＵがＲＯＭ又は記憶ユニット２７に記憶されているプログラムを読み込み実行することにより実現される。ＲＡＭは、制御ユニット２３が各種処理を行う際のワークメモリとして機能する。なお、本実施形態では、測定ユニット２からのデータの取り込み、及び、記憶ユニット２７へのデータの格納を制御ユニット２３が実行する構成としたが、測定ユニット２から記憶ユニット２７へ直接データが格納（書き込み）されるように構成してもよい。
【００２４】
実施形態の各構成要素、例えば、測定ユニット、指標抽出部、処理部、判断部、リスクデータベース、入力ユニット、出力ユニット及び、症例データベース等は、生体情報分析システム１０にハードウエアで実装されてもよい。指標抽出部、処理部、及び判断部は、記憶ユニット２７に格納された実行可能なプログラムを受信して実行してもよい。指標抽出部、処理部、及び判断部は、必要に応じて血圧測定ユニット２０、体動測定ユニット２１、環境測定ユニット２２、入力ユニット２４、出力ユニット２５、通信ユニット２６、記憶ユニット２７等からデータを受信してもよい。リスクデータベース及び症例データベース等のデータベースは、記憶ユニット２７等で実装され、データを検索や蓄積が容易にできるよう整理された情報を格納してもよい。ここで、例えば、生体情報分析システム１０の構造や動作等については、特願２０１６−０８２０６９号に開示される。その内容は、引用により本明細書に組み込まれる。また、血圧測定ユニットの構造や動作等については、特開２０１６−０８７００３号公報に開示される。その内容は、引用により本明細書に組み込まれる。
【００２５】
入力ユニット２４は、ユーザに対し操作インタフェースを提供するユニットである。例えば、操作ボタン、スイッチ、タッチパネルなどを用いることができる。
【００２６】
出力ユニット２５は、ユーザに対し情報出力を行うインタフェースを提供するユニットである。例えば、画像により情報を出力する表示装置（液晶ディスプレイなど）、音声により情報を出力する音声出力装置やブザー、光の明滅により情報を出力するＬＥＤ、振動により情報を出力する振動装置などを用いることができる。
【００２７】
通信ユニット２６は、他のデバイスとの間でデータ通信を行うユニットである。データ通信方式は、無線ＬＡＮ、Ｂｌｕｅｔｏｏｔｈ（登録商標）などどのような方式でもよい。
【００２８】
記憶ユニット２７は、データの記憶及び読み出しが可能な記憶媒体であり、制御ユニット２３で実行されるプログラム、各測定ユニットから得られた測定データ、測定データを処理することで得られた各種のデータなどを記憶する。記憶ユニット２７は、記憶対象となる情報を、電気的、磁気的、光学的、機械的又は化学的作用によって蓄積する媒体である。例えばフラッシュメモリが用いられる。記憶ユニット２７は、メモリカード等の可搬型のものであってもよいし、生体情報分析システム１０に内蔵されていてもよい。
【００２９】
体動測定ユニット２１、環境測定ユニット２２、制御ユニット２３、入力ユニット２４、出力ユニット２５、記憶ユニット２７の一部又は全部を、本体部１１とは別のデバイスで構成してもよい。すなわち、血圧測定ユニット２０とその制御を行う回路を内蔵する本体部１１が手首に装着可能な形態であれば、それ以外のユニットの構造については自由に設計できる。この場合、本体部１１は通信ユニット２６を介して別のユニットと連携する。例えば、制御ユニット２３や入力ユニット２４や出力ユニット２５の機能をスマートフォンのアプリで構成したり、体動測定ユニット２１や環境測定ユニット２２の機能を有する活動量計から必要なデータを取得する等、さまざまな構成が考えられる。また、血圧以外の生体情報を測定するセンサを設けてもよい。例えば、睡眠センサ、パルスオキシメーター（ＳｐＯ２センサ）、呼吸センサ（フローセンサ）、血糖値センサなどを組み合わせてもよい。
【００３０】
なお、本実施形態では、血圧を測定するセンサ（血圧測定ユニット２０）と血圧波形データの分析処理を行う構成（制御ユニット２３等）を１つの装置内に設けたが、それらを別体の構成としてもよい。本実施形態では、生体情報の分析処理を行う構成（制御ユニット２３等）を生体情報分析装置と呼び、測定ユニットと生体情報分析装置の組み合わせで構成される装置を生体情報分析システムと呼ぶ。しかし、名称は便宜的なものであり、測定ユニットと生体情報の分析処理を行う構成の全体を生体情報分析装置と呼んでもよいし、他の名称を用いてもよい。
【００３１】
＜血圧波形の測定＞
図３は血圧測定ユニット２０の構造と測定時の状態を模式的に示す断面図である。血圧測定ユニット２０は、圧力センサ３０と、圧力センサ３０を手首に対して押圧するための押圧機構３１と、を備える。圧力センサ３０は、複数の圧力検出素子３００を有している。圧力検出素子３００は、圧力を検出して電気信号に変換する素子であり、例えばピエゾ抵抗効果を利用した素子などを好ましく用いることができる。押圧機構３１は、例えば、空気袋とこの空気袋の内圧を調整するポンプとにより構成される。制御ユニット２３がポンプを制御し空気袋の内圧を高めると、空気袋の膨張により圧力センサ３０が皮膚表面に押し当てられる。なお、押圧機構３１は、圧力センサ３０の皮膚表面に対する押圧力を調整可能であれば何でもよく、空気袋を用いたものに限定されない。
【００３２】
生体情報分析システム１０を手首に装着し起動すると、制御ユニット２３が血圧測定ユニット２０の押圧機構３１を制御し、圧力センサ３０の押圧力を適切な状態（トノメトリ状態）に維持する。そして、圧力センサ３０で検知された圧力信号が制御ユニット２３に順次取り込まれる。圧力センサ３０より得られる圧力信号は、圧力検出素子３００が出力するアナログの物理量（例えば電圧値）を、公知の技術のＡ／Ｄ変換回路等を通してデジタル化して生成される。当該アナログの物理量は、圧力検出素子３００の種類に応じて、電流値や抵抗値など好適なアナログ値が採用されてよい。当該Ａ／Ｄ変換等の信号処理は、血圧測定ユニット２０の中に所定の回路を設けて行ってもよいし、血圧測定ユニット２０と制御ユニット２３の間に設けたその他のユニット（図示せず）で行ってもよい。制御ユニット２３に取り込まれた当該圧力信号は、橈骨動脈ＴＤの内圧の瞬時値に相当する。したがって、１心拍の血圧波形を把握することが可能な時間粒度及び連続性で圧力信号を取り込むことにより、血圧波形の時系列データを取得することができる。制御ユニット２３は、圧力センサ３０より順次取り込んだ圧力信号をその測定時刻の情報とともに記憶ユニット２７に格納する。制御ユニット２３は、取り込んだ圧力信号をそのまま記憶ユニット２７に格納してもよいし、当該圧力信号に対して必要な信号処理を施した後で記憶ユニット２７に格納してもよい。必要な信号処理は、例えば、圧力信号の振幅が血圧値（例えば上腕血圧）と一致するように圧力信号を較正する処理、圧力信号のノイズを低減ないし除去する処理などを含んでもよい。
【００３３】
図４は、血圧測定ユニット２０で測定される血圧波形を示す。横軸が時間、縦軸が血圧である。サンプリング周波数は任意に設定できるが、１心拍の波形の形状的な特徴を再現するため、１００Ｈｚ以上に設定することが好ましい。１心拍の周期は概ね１秒程度であるから、１心拍の波形について約１００点以上のデータ点が取得されることとなる。
【００３４】
本実施形態の血圧測定ユニット２０は以下のような利点を有する。
【００３５】
１心拍ごとの血圧波形を計測することができる。これにより例えば、血圧波形の形状的な特徴に基づき、血圧や心臓の状態、心血管リスクなどに関連する様々な指標を得ることができる。また、血圧の瞬時値を監視することができるため、血圧サージ（血圧値の急激な上昇）を即座に検出したり、極めて短い時間（１〜数回の心拍）だけに現れる血圧変動や血圧波形の乱れでも漏れなく検出することが可能となる。
【００３６】
なお、携帯型血圧計としては、手首や上腕に装着しオシロメトリック法により血圧を測定するタイプの血圧計が実用化されている。しかし、従来の携帯型血圧計では、数秒から十数秒間の複数心拍分のカフ内圧の変動から血圧の平均値を測定することしかできず、本実施形態の血圧測定ユニット２０のように１心拍ごとの血圧波形の時系列データを得ることはできない。
【００３７】
血圧波形の時系列データを記録可能である。血圧波形の時系列データを取得することにより、例えば、血圧波形の時間的な変化に関わる特徴を捉えたり、時系列データを周波数解析して特定の周波数成分を抽出したりすることで、血圧や心臓の状態、心血管リスクなどに関連する様々な指標を得ることができる。
【００３８】
携帯型（ウェアラブル型）の装置構成としたので、ユーザに与える測定負担が小さく、長時間の連続的な測定や、さらには２４時間の血圧の監視なども比較的容易である。また、携帯型のため、安静時の血圧だけでなく、自由行動下（例えば日常生活や運動中）の血圧変化も測定可能である。これにより例えば、日常生活における行動（睡眠、食事、通勤、仕事、服薬など）や運動が血圧に与える影響を把握することが可能となる。
【００３９】
従来製品は、血圧測定ユニットに対し腕及び手首を固定し、安静状態にて計測するタイプの装置であり、本実施形態の生体情報分析システム１０のように日常生活や運動中の血圧変化を測定することはできない。
【００４０】
他のセンサとの組み合わせや連携が容易である。例えば、他のセンサにより得られる情報（体動、気温等の環境情報、ＳｐＯ２や呼吸等の他の生体情報など）との因果関係の評価や複合的な評価を行うことができる。
【００４１】
＜生体情報分析装置＞
図５は、生体情報分析装置１の処理を説明するブロック図である。図５に示すように、生体情報分析装置１は、指標抽出部５０と処理部５１を有している。本実施形態では、制御ユニット２３が必要なプログラムを実行することによって、指標抽出部５０及び処理部５１の処理が実現されてもよい。当該プログラムは、記憶ユニット２７に記憶されていてもよい。制御ユニット２３が必要なプログラムを実行する際は、ＲＯＭ又は記憶ユニット２７に記憶された、対象となるプログラムをＲＡＭに展開する。そして、制御ユニット２３は、ＲＡＭに展開された当該プログラムをＣＰＵにより解釈及び実行して、各構成要素を制御する。ただし、指標抽出部５０及び処理部５１の処理の一部又は全部をＡＳＩＣやＦＰＧＡなどの回路で構成してもよい。あるいは、指標抽出部５０及び処理部５１の処理の一部又は全部を、本体部１１とは別体のコンピュータ（例えば、スマートフォン、タブレット端末、パーソナルコンピュータ、クラウドサーバなど）で実現してもよい。
【００４２】
指標抽出部５０は、血圧測定ユニット２０により連続的に計測される血圧波形の時系列データを記憶ユニット２７から取得する。指標抽出部５０は、取得した血圧波形の時系列データから血圧波形の特徴に関わる指標を抽出する。ここで、血圧波形の特徴とは、１心拍の血圧波形の形状的な特徴、血圧波形の時間的な変化、血圧波形の周波数成分などを含む。しかし、血圧波形の特徴はこれらには限られない。抽出された指標は、処理部５１へ出力される。血圧波形の特徴及び指標については様々なものがあり、処理部５１による処理の目的に応じて、抽出する特徴及び指標は適宜設計ないし選択することができる。本実施形態の血圧波形の測定データから抽出可能な特徴及び指標については後ほど詳しく説明する。
【００４３】
指標抽出部５０は、指標を求める際に、血圧波形の測定データに加えて、体動測定ユニット２１の測定データ及び／又は環境測定ユニット２２の測定データを用いることもできる。また、図示しないが、睡眠センサ、ＳｐＯ２センサ、呼吸センサ（フローセンサ）、血糖値センサなどの測定データを組み合わせてもよい。複数種類のセンサにより得られる複数種類の測定データを複合的に分析することによって、血圧波形のより高度な情報分析が可能となる。例えば、体動、活動量や活動強度、気温の変化などが血圧に与える影響を抽出するなど、各測定データの因果関係や相関などを評価することもできる。
【００４４】
処理部５１は、指標抽出部５０によって抽出された指標を受信する。処理部５１は、受信した指標に基づく処理を行う。指標に基づく処理には、様々なものが想定できる。例えば、処理部５１は、抽出された指標の値や変化などをユーザや医師、保健師などに提示し、健康管理や治療や保健指導などへの活用を促してもよい。あるいは、処理部５１は、抽出された指標から呼吸器系リスクを推測したり、健康維持あるいはリスク改善のための指針を提示したりしてもよい。さらには、処理部５１は、ユーザや担当医などに報知したり、他の装置を作動させる制御を行ってもよい。
【００４５】
＜血圧波形から取得される情報＞
図６は１心拍の橈骨動脈の圧脈波の波形（血圧波形）を示している。横軸は時間ｔ［ｍｓｅｃ］であり、縦軸は血圧ＢＰ［ｍｍＨｇ］である。
【００４６】
血圧波形は、心臓が収縮し血液を送り出すことで発生する「駆出波」と、駆出波が末梢血管や動脈の分岐部で反射することにより発生する「反射波」との合成波となる。１心拍の血圧波形から抽出可能な特徴点の一例を以下に示す。
【００４７】
・点Ｆ１は、圧脈波の立ち上がり点である。点Ｆ１は、心臓の駆出開始点、つまり大動脈弁の開放点に対応する。
・点Ｆ２は、駆出波の振幅（圧力）が最大となる点（第１ピーク）である。
・点Ｆ３は、反射波の重畳により、駆出波の立下りの途中で現れる変曲点である。
・点Ｆ４は、駆出波と反射波の間に現れる極小点であり、切痕とも呼ばれる。これは大動脈弁の閉鎖点に対応する。
・点Ｆ５は、点Ｆ４の後に現れる反射波のピーク（第２ピーク）である。
・点Ｆ６は、１心拍の終点であり、次の心拍の駆出開始点つまり次の心拍の始点に対応する。
【００４８】
指標抽出部５０は、上記特徴点の検出にどのようなアルゴリズムを用いてもよい。例えば、指標抽出部５０が演算して、血圧波形のｎ次微分波形を求め、そのゼロクロス点を検出することにより、血圧波形の特徴点（変曲点）を抽出してもよい（点Ｆ１、Ｆ２、Ｆ４、Ｆ５、Ｆ６については１次微分波形から、点Ｆ３については２次微分波形又は４次微分波形から検出可能である。）。あるいは、指標抽出部５０は、特徴点が予め配置された波形パターンを記憶ユニット２７から読み出し、当該波形パターンを対象となる血圧波形にフィッティングすることにより、各特徴点の位置を特定してもよい。
【００４９】
上記特徴点Ｆ１〜Ｆ６の時刻ｔ及び圧力ＢＰに基づき、指標抽出部５０が演算して、１心拍の血圧波形から様々な情報（値、特徴量、指標など）を得ることができる。以下、血圧波形から取得可能な情報の代表的なものを例示する。ただし、ｔｘとＢＰｘはそれぞれ特徴点Ｆｘの時刻と血圧を表す。
【００５０】
・脈波間隔（心拍周期）ＴＡ＝ｔ６−ｔ１
・心拍数ＰＲ＝１／ＴＡ
・脈波立上り時間ＵＴ＝ｔ２−ｔ１
・収縮期ＴＳ＝ｔ４−ｔ１
・拡張期ＴＤ＝ｔ６−ｔ４
・反射波遅延時間＝ｔ３−ｔ１
・最高血圧（収縮期血圧）ＳＢＰ＝ＢＰ２
・最低血圧（拡張期血圧）ＤＢＰ＝ＢＰ１
・平均血圧ＭＡＰ＝ｔ１〜ｔ６の血圧波形の面積／心拍周期ＴＡ
・収縮期の平均血圧＝ｔ１〜ｔ４の血圧波形の面積／収縮期ＴＳ
・拡張期の平均血圧＝ｔ４〜ｔ６の血圧波形の面積／拡張期ＴＤ
・脈圧ＰＰ＝最高血圧ＳＢＰ−最低血圧ＤＢＰ
・収縮後期圧ＳＢＰ２＝ＢＰ３
・ＡＩ（Augmentation Index）＝（収縮後期圧ＳＢＰ２−最低血圧ＤＢＰ）／脈圧ＰＰ
【００５１】
これらの情報（値、特徴量、指標）の基本統計量も指標として用いることができる。基本統計量は、例えば、代表値（平均値、中央値、最頻値、最大値、最小値など）、散布度（分散、標準偏差、変動係数など）を含む。また、これらの情報（値、特徴値、指標）の時間的な変化も指標として用いることができる。
【００５２】
また、指標抽出部５０は、複数の拍情報を演算することでＢＲＳ（血圧調整能）という指標を得ることもできる。これは、血圧を一定に調整しようとする能力を表す指標である。算出方法は例えばSpontaneous sequence法などがある。これは、連続して３拍以上にわたり最高血圧ＳＢＰと脈波間隔ＴＡとが同期して上昇、または下降するシーケンスのみを抽出し、最高血圧ＳＢＰと脈波間隔ＴＡを２次元平面上にプロットし、回帰直線を最小二乗法により求めたときの傾きをＢＲＳとして定義する方法である。
【００５３】
以上述べたように、本実施形態の生体情報分析システム１０を利用すれば血圧波形のデータから様々な情報を取得することができる。ただし、生体情報分析システム１０に対し上述した全ての情報を取得する機能を実装する必要はない。生体情報分析システム１０の構成、利用者、利用目的、利用場所などに応じて、必要な情報を取得する機能のみを実装すればよい。また、各機能をプログラムモジュール（アプリケーションソフト）として提供し、生体情報分析システム１０に必要なプログラムモジュールをインストールすることで、機能追加を行えるような仕組みにしてもよい。
【００５４】
以下、生体情報分析システム１０の具体的な応用としての実施例を例示的に説明する。
【００５５】
＜実施例１＞
本発明者らが、被検者実験において、無呼吸状態に相当するバルサルバ試験を実施したところ、図７のような血圧波形データが観測された。左側が平常状態の血圧波形データであり、右側が息こらえ区間（無呼吸状態に相当）の血圧波形データである。平常状態と無呼吸状態との間で血圧波形に有意に違いがあることが認められる。このような知見に基づき、本実施例では、睡眠中のユーザの血圧波形をモニタリングし、血圧波形の形状的な特徴に基づき無呼吸の発生を簡便に且つリアルタイムに検知可能なアルゴリズムを提案する。
【００５６】
図８に、無呼吸状態で観測される血圧波形と、平常状態で観測される血圧波形の例を示す。図中に示す特徴点は図６で定義したものと同じである。すなわち、点Ｆ１は圧脈波の立ち上がり点、点Ｆ２は駆出波の振幅が最大となる点（第１ピーク）、点Ｆ３は反射波の重畳により駆出波の立下りの途中で現れる変曲点、点Ｆ４は駆出波と反射波の間に現れる極小値（切痕）、点Ｆ５は点Ｆ４の後に現れる反射波のピーク（第２ピーク）、点Ｆ６は１心拍の終点である。
【００５７】
２つの血圧波形を比較すると、形状的な特徴の違いとして例えば次の２つが顕著である。（１）無呼吸状態では、平常状態に比べて脈圧（収縮期血圧と拡張期血圧の差）が有意に小さくなる。（２）無呼吸状態では、駆出波と反射波の重なりが小さくなり、点Ｆ４に大きな谷が現れる。
【００５８】
そこで本実施例では、無呼吸状態の血圧波形と平常状態の血圧波形を峻別するために、以下の３つの特徴量ｈ１〜ｈ３を用いる。
【００５９】
第１の特徴量ｈ１は、脈圧ＰＰを表す指標であり、以下のように定義する。ただし、ＢＰｘは特徴点Ｆｘの振幅値（血圧値）を示す。
ｈ１＝収縮期血圧ＳＢＰ−拡張期血圧ＤＢＰ＝ＢＰ２−ＢＰ１
【００６０】
第２の特徴量ｈ２と第３の特徴量ｈ３はともに駆出波と反射波の重なり度合を評価する特徴量であり、以下のように定義する。
ｈ２＝点Ｆ４の振幅−拡張期血圧ＤＢＰ＝ＢＰ４−ＢＰ１
ｈ３＝ｈ２／（点Ｆ５の振幅−拡張期血圧ＤＢＰ）＝（ＢＰ４−ＢＰ１）／（ＢＰ５−ＢＰ１）
【００６１】
これらの特徴量ｈ１〜ｈ３はいずれも、平常状態の場合に比べ無呼吸状態の場合に有意に小さくなる。したがって、各特徴量ｈ１〜ｈ３について、平常状態か無呼吸状態かを判定する閾値Ｔｈ１〜Ｔｈ３をあらかじめ設定しておき、血圧波形が取り込まれるたびに各特徴量ｈ１〜ｈ３による閾値判定を行うことで、閉塞性無呼吸の発生を簡易的に検知することができる。
【００６２】
図９に、本実施例の無呼吸判定処理のフローチャートの一例を示す。この処理はユーザの睡眠中に繰り返し（例えば１心拍に１回）実行される。ユーザが睡眠中であるか否かの判定は、例えば、体動測定ユニット２１による体動検知結果を用いて自動判定してもよいし、ユーザが自ら睡眠の開始時刻（就寝時刻）と終了時刻（起床時刻）を設定してもよい。
【００６３】
指標抽出部５０は、血圧測定ユニット２０から血圧波形のデータを取り込み（ステップ３４００）、特徴点検出処理によって１心拍の血圧波形の特徴点Ｆ１〜Ｆ６を検出する（ステップ３４０１）。特徴点検出処理の具体的な方法は図６で述べた通りである。次に、指標抽出部５０は、特徴点Ｆ１，Ｆ２，Ｆ４，Ｆ５の血圧値ＢＰ１，ＢＰ２，ＢＰ４，ＢＰ５を用いて、特徴量ｈ１〜ｈ３の値を計算する（ステップ３４０２）。そして、指標抽出部５０は、特徴量ｈ１〜ｈ３の値に基づき、当該血圧波形が平常状態の血圧波形か無呼吸状態の血圧波形かを判定し、平常状態か無呼吸状態かを表す指標（例えば、平常状態のときに１となり、無呼吸状態のときに０となる二値の指標）を、処理部５１に出力する（ステップ３４０３）。無呼吸状態と判定された場合（ステップ３４０４のＹＥＳ）、処理部５１は、ユーザの無呼吸状態の解消のために必要な処理を実行する（ステップ３４０５）。処理部５１は、血圧の計測値と無呼吸状態の判定指標を時間情報とともに記憶ユニット２７に記録する（ステップ３４０６）。この記録は、睡眠中の無呼吸の発生の有無や頻度を把握するための情報や、睡眠時無呼吸症候群（ＳＡＳ）の検査ないし治療のための参考情報として、利用することができる。
【００６４】
図１０に、ステップ３４０３の判定ロジックの詳細を示す。
【００６５】
まず、指標抽出部５０は、判定に用いる閾値Ｔｈ１〜Ｔｈ３を設定する（ステップ３５００）。閾値Ｔｈ１〜Ｔｈ３は固定値でもよいし、ユーザの属性に応じて変えてもよい。例えば、属性（性別、年代、身長、体重、ＳＡＳのレベル）ごとにあらかじめ閾値を用意しておき、ユーザの属性に該当する閾値を用いるとよい。あるいは、ユーザから計測された平常状態の血圧波形データに基づき適切な閾値を設定してもよい（例えば、就床直後に計測された血圧波形データから求めた各特徴量ｈ１〜ｈ３を基準にして、各閾値Ｔｈ１〜Ｔｈ３を決定するなど）。指標抽出部５０は、閾値Ｔｈ１〜Ｔｈ３を記憶ユニット２７から読み込んでもよいし、クラウドサーバのような他のストレージから読み込んでもよい。
【００６６】
そして、指標抽出部５０は、特徴量ｈ１〜ｈ３と閾値Ｔｈ１〜Ｔｈ３をそれぞれ比較し（ステップ３５０１〜３５０３）、３つの特徴量ｈ１〜ｈ３の全てについて肯定判定が得られたら「平常」と判定し（ステップ３５０４）、いずれかの特徴量で否定判定が得られたら「無呼吸」と判定する（ステップ３５０５）。
【００６７】
なお、本実施例ではｈ１、ｈ２、ｈ３を判定に用いる特徴量としたが、ＡＩや、反射波のピークにおける値（点Ｆ５の振幅−拡張期血圧ＤＢＰ）、あるいはこれらを四則演算によって組み合わせた特徴量を判定に用いても良い。さらに、時間方向の特徴量、例えば点Ｆ２から点Ｆ３にいたるまでの時間（点Ｆ３の時刻ｔ３−点Ｆ２の時刻ｔ２）などを用いて判定しても良い。また、本実施例では、全ての特徴量で肯定判定が得られたときのみ「平常」と判定したが、いずれかの特徴量で肯定判定が得られたとき、あるいは、少なくとも２つ以上の特徴量で肯定判定が得られたときに「平常」と判定するようにしてもよい。あるいは、３つの特徴量ｈ１〜ｈ３の関数で定義される統合スコアｆ（ｈ１，ｈ２，ｈ３）を定義し、統合スコアｆの値により無呼吸判定を行ってもよい。
【００６８】
また、平常→無呼吸→平常→・・・というように判定結果が拍毎に頻繁に変化してしまうことを防ぐため、複数拍分の判定結果を考慮して最終判定を行ってもよい。例えば、指標抽出部５０又は処理部５１が、直前のｎ拍分（ｎは２以上の整数）の判定結果を保持しておき、そのｎ拍の判定結果と今回の判定結果が全て「無呼吸」であった場合に、ｎ拍前にさかのぼって「無呼吸」状態の開始と判断してもよい。あるいは、平常状態や無呼吸状態が２，３拍で切り替わることは想定しにくいため、ｍ拍分（ｍは５以上の整数であり、例えばｍ＝１０程度）の区間単位で「平常」区間か「無呼吸」区間かの判定を行ってもよい。例えば、ｍ拍のうち「平常」と判定された数の方が多ければ当該区間を「平常」区間とし、「無呼吸」と判定された数の方が多ければ当該区間を「無呼吸」区間と判定すればよい。
【００６９】
さらに、同一状態が継続する時間に応じて、閾値を動的に変化させるようにしてもよい。例えば、無呼吸状態が続くほど平常状態に戻りやすくなると考えられるため、無呼吸状態が継続する時間が長くなるにしたがい連続的ないし段階的に閾値を小さくしていくとよい。
【００７０】
ステップ３４０５における無呼吸状態を解消するための処理は、どのような処理でもよい。例えば、出力ユニット２５から音・光・振動などを発して、ユーザに覚醒を促してもよい。図１１に示すように、生体情報分析装置１を、ユーザの呼吸状態に作用を与える補助装置３に接続し、生体情報分析装置１から補助装置３に対し作動信号を送出してもよい。補助装置３としては、例えば、ユーザの呼吸を補助する装置（ＣＰＡＰ（Continuous Positive Airway Pressure）に用いられる人工呼吸器など）、ユーザの姿勢を変えることで気道確保を行う装置（ベッドのリクライニングや枕の高さを調整することで、上体の角度、首や顎の位置などを変える装置など）などを用いることができる。
【００７１】
以上述べた本実施例の構成によれば、血圧波形のモニタリングだけで睡眠中の無呼吸の発生を簡易に且つリアルタイムに検知することができる。しかも、生体情報分析システム１０を手首に装着するだけでよいので簡易であり、ユーザの身体への負担や心理的負担も小さい。そして、無呼吸の発生を検知した場合に必要な処理を行うことで、無呼吸状態の解消を図ることができる。
【００７２】
なお、上述した実施形態及び実施例の構成は本発明の一具体例を示したものにすぎず、本発明の範囲を限定する趣旨のものではない。本発明はその技術思想を逸脱しない範囲において、種々の具体的構成を採り得るものである。例えば、上記実施例では、無呼吸状態（無呼吸の発生）をリアルタイムで検知する例を示したが、上記実施例の無呼吸判定アルゴリズムをオフラインの無呼吸判定処理に応用してもよい。すなわち、一晩分の血圧波形の測定データを記憶ユニット２７に蓄積した後、指標抽出部５０が、記憶ユニット２７から一波形ずつ血圧波形のデータを読み込み、順次、無呼吸判定を行うのである。これにより、一晩の睡眠期間における、無呼吸の発生時刻、発生回数、発生頻度の時間的な分布などの情報を得ることができる。
【００７３】
本明細書に開示された技術思想は以下のような発明として特定することもできる。
【００７４】
（付記１）
生体情報分析装置であって、
ハードウェアプロセッサと、プログラムを記憶するメモリとを有し、
前記ハードウェアプロセッサは、前記プログラムにより、
睡眠中のユーザの身体に装着され、１心拍ごとの血圧波形を非侵襲的に計測可能なセンサにより連続的に計測された血圧波形のデータから、血圧波形の特徴に基づいて前記ユーザの呼吸器の機能に関連する指標を抽出し、
抽出された前記指標に基づく処理を行う
ことを特徴とする生体情報分析装置。
【００７５】
（付記２）
生体情報分析システムであって、
ユーザの身体に装着され、１心拍ごとの血圧波形を非侵襲的に計測可能なセンサと、ハードウェアプロセッサと、プログラムを記憶するメモリと、を有し、
前記ハードウェアプロセッサは、前記プログラムにより、
睡眠中のユーザの身体に装着され、１心拍ごとの血圧波形を非侵襲的に計測可能なセンサにより連続的に計測された血圧波形のデータから、血圧波形の特徴に基づいて前記ユーザの呼吸器の機能に関連する指標を抽出し、
抽出された前記指標に基づく処理を行う
ことを特徴とする生体情報分析システム。
【００７６】
（付記３）
生体情報分析方法であって、
少なくとも１つのハードウェアプロセッサによって、睡眠中のユーザの身体に装着され、１心拍ごとの血圧波形を非侵襲的に計測可能なセンサにより連続的に計測された血圧波形のデータから、血圧波形の特徴に基づいて前記ユーザの呼吸器の機能に関連する指標を抽出するステップと、
少なくとも１つのハードウェアプロセッサによって、抽出された前記指標に基づく処理を行うステップと、
を含むことを特徴とする生体情報分析方法。
【符号の説明】
【００７７】
１：生体情報分析装置、２：測定ユニット
１０：生体情報分析システム、１１：本体部、１２：ベルト
２０：血圧測定ユニット、２１：体動測定ユニット、２２：環境測定ユニット、２３：制御ユニット、２４：入力ユニット、２５：出力ユニット、２６：通信ユニット、２７：記憶ユニット
３０：圧力センサ、３１：押圧機構、３００：圧力検出素子
５０：指標抽出部、５１：処理部
３：補助装置
【図１】
0006721154.tif 000002
【図２】
0006721154.tif 000003
【図３】
0006721154.tif 000004
【図４】
0006721154.tif 000005
【図５】
0006721154.tif 000006
【図６】
0006721154.tif 000007
【図７】
0006721154.tif 000008
【図８】
0006721154.tif 000009
【図９】
0006721154.tif 000010
【図１０】
0006721154.tif 000011
【図１１】
0006721154.tif 000012